(57)【要約】【課題】丸太叉はプレカット材よりなる梁の補強を容易に行うことのできる補強器具を提供する。【解決手段】丸太叉はプレカット材よりなる梁３を補強する補強器具であって、前記梁３の曲面３Ａに対応する曲面９Ａを備え補強具本体９の曲面９Ａに沿う方向の両端部に、連結具を挿通自在の挿通孔９Ｃを備えた鍔部９Ｂを設け、上記鍔部９Ｂが対向するように複数の補強具本体９を前記梁３の周面に配置し、各補強具本体９の対向した各鍔部９Ｂの挿通孔９Ｃに連結具を挿通して各補強具本体９を環状に一体的に連結して前記梁３の補強を行う構成であり、前記対向した鍔部９Ｂの間に連結補助具１３が配置してある。そして、前記連結補強器具１３は、梁３に立設した束柱５に連結した梁・束柱連結部材１９である。【選択図】  図１
2004360428.tif 000002
【特許請求の範囲】
【請求項１】
丸太叉はプレカット材よりなる梁を補強する補強器具であって、前記梁の曲面に対応する曲面を備え補強具本体の曲面に沿う方向の両端部に、連結具を挿通自在の挿通孔を備えた鍔部を設け、上記鍔部が対向するように複数の補強具本体を前記梁の周面に配置し、各補強具本体の対向した各鍔部の挿通孔に連結具を挿通して各補強具本体を環状に一体的に連結して前記梁の補強を行う構成であることを特徴とする木造建築物における補強器具。
【請求項２】
請求項１に記載の木造建築物における補強器具において、前記対向した鍔部の間に連結補助具が配置してあることを特徴とする木造建築物における補強器具。
【請求項３】
請求項２に記載の木造建築物における補強器具において、前記連結補強器具は、梁に立設した束柱に連結した梁・束柱連結部材であることを特徴とする木造建築物における補強器具。
【請求項４】
丸太叉はプレカット材よりなる梁上に束柱を立設してなる部分を補強する木造建築物における補強器具であって、前記梁の周面に配置した複数の補強具本体を環状に一体的に連結してなる第１の環状補強体を設けると共に、前記束柱の周面に配置した複数の補強具本体を環状に一体的に連結してなる第２の環状補強体を設け、前記第１の環状補強体と第２の環状補強体とを、梁・束柱連結部材を介して一体的に連結してあることを特徴とする木造建築物における補強器具。
【発明の詳細な説明】
【０００１】
【発明の属する技術分野】
本発明は、木造建築物における例えば梁や梁上に立設した束柱との連結部の補強を行う補強器具に係り、さらに詳細には、梁が丸太やプレカット材に容易に対応することのできる補強器具に関する。
【０００２】
【従来の技術】
従来、丸太やプレカット材からなる梁にひび割れを生じた場合には補強する必要があるにも拘わらず、そのまま放置してある場合がある。また、丸太の端部を重ねるように接続した梁においては、楔子によって接続してあり、地震等の揺れや老朽化に際して補強を必要とする場合がある。
【０００３】
【発明が解決しようとする課題】
丸太やプレカット材からなる梁や梁と束柱の接続部等、及び前記補強部材を介して他の柱等との補強を容易に行うことのできる補強器具を提供することにある。
【０００４】
【課題を解決するための手段】
本発明は、前述のごとき従来の問題に鑑みてなされたもので、丸太叉はプレカット材よりなる梁を補強する補強器具であって、前記梁の曲面に対応する曲面を備え補強具本体の曲面に沿う方向の両端部に、連結具を挿通自在の挿通孔を備えた鍔部を設け、上記鍔部が対向するように複数の補強具本体を前記梁の周面に配置し、各補強具本体の対向した各鍔部の挿通孔に連結具を挿通して各補強具本体を環状に一体的に連結して前記梁の補強を行う構成である。
また本発明は、上記木造建築物における補強器具において、前記対向した鍔部の間に連結補助具が配置してあるものである。
また本発明は、上記木造建築物における補強器具において、前記連結補強器具は、梁に立設した束柱に連結した梁・束柱連結部材である。
また本発明は、丸太叉はプレカット材よりなる梁上に束柱を立設してなる部分を補強する木造建築物における補強器具であって、前記梁の周面に配置した複数の補強具本体を環状に一体的に連結してなる第１の環状補強体を設けると共に、前記束柱の周面に配置した複数の補強具本体を環状に一体的に連結してなる第２の環状補強体を設け、前記第１の環状補強体と第２の環状補強体とを、梁・束柱連結部材を介して一体的に連結してある。
【０００５】
【発明の実施の形態】
以下、図面を用いて本発明の実地形態について説明するに、本発明は、図８に示すように、木造建築物１において、梁３が丸太やプレカット材（丸太の対向する四箇所を三日月状に切断して角部が曲面を呈する、工場叉は作業場で必要な寸法にあらかじめ切断された、断面形状がほぼ四角形状の木材）である場合であって、この梁３の補強、及び梁３上に束５を立設した部分の補強行う補強器具に関する。
図１に示すように、本実施形態に係る補強器具７は、丸太よりなる前記梁３の曲面３Ａに対応する曲面９Ａを備えた補強器具９を備えている。図１においては、前記梁３の上部側に配置した一対の補強具本体９は、梁３の下部側に配置した一対の補強具本体１１より寸法を大きく形成してあるが、必ずしも大小を異にする必要はなく、同一寸法としても良いものである。なお、前記補強具本体９と補強具本体１１とは単に寸法が異なるのみであり、その構成は同一である。
上記補強具本体９、１１は金属叉は硬質合成樹脂材叉は炭素繊維複合材の板材よりなるものであって、図３に示すように、前記梁３の曲面３Ａに対応する曲面９Ａ、１１Ａを備えた構成であって、上記曲面９Ａ、１１Ａに沿う方向の両端部には鍔部９Ｂ、１１Ｂが外方向へ突出するように設けられている。そして、上記鍔部９Ｂ、１１Ｂには、例えばボルト等のごとき連結具（図示省略）を挿通自在の適数の挿通孔９Ｃ、１１Ｃが補強具本体９、１１の長手方向に適宜に離れて設けられている。
上記構成により、前記補強具本体９、１１の前記鍔部９Ｂ、１１Ｂが対向するように、複数の補強具本体９、１１を前記梁３の外周面に配置し、前記各補強具本体９、１１の対向した各鍔部９Ｂ、１１Ｂの挿通孔にボルト等のごとき連結具を挿通して各補強具本体９、１１を環状に連結した後、上記ボルトに螺合したナットを締め付けることにより、各補強具本体９、１１における鍔部９Ｂ、１１Ｂの間隔が狭まり、前記梁３を締め付けることができ、前記梁３にひび割れを生じた場合や老朽化した場合の補強を行うことができるものである。
図１、図２に示す構成においては、各補強具本体９の鍔部９Ｂと、各補強具体１１の鍔部１１Ｂの間にはチャンネル状の連結補助具１３が配置してあり、この連結補助器具１３の鍔部に備えた挿通孔と前記補強具本体９、１１の鍔部に備えた挿通孔９Ｃ、１１Ｃには連結具叉は固定具としてのボルト１５が挿通してあり、このボルト１５に螺合したナット１７によって前記鍔部が一体的に連結固定してある。なお、上記ボルト１５、ナット１７は締付け具１８を構成するものである。
そして、前記連結具本体９における鍔部９Ｂの間には、前記束柱５の対向した面に連結した一対の梁・束柱連結部材１９が補助連結具として配置してある。
すなわち、前記束柱５には、この束柱５の直角な角部に対応する直角な屈曲部２１Ａを備え、かつ鍔部２１Ｂを両側に備えた大略Ｗ字形状の連結具本体２１が前記束柱５の四つの角部に対応して配置してあり、上記各連結具本体２１における前記鍔部２１Ｂの間において、前記梁・束柱連結部材１９が対応した部分には上記梁・束柱連結部材１９が配置してある。
そして、前記各連結具本体２１の別個の鍔部２１Ｂの間には、前記連結補助具１３と同様の連結補助具２３が配置してあり、前記各連結具本体２１と梁・束柱連結部材１９と前記連結補助具２３はボルト、ナットからなる固定具２５によって、前記束柱５を囲繞して締付けるように環状に連結してある。
前記梁・束柱連結部材１９は、前記梁３に接触した梁接触面１９Ａと前記束柱５に接触した束柱接触面１９Ｂとを直角に備えており、かつ上記梁接触面１９Ａと束柱接触面１９Ｂとの間には、ほぼ三角形状の補強板１９Ｃが一体的に設けられている。
したがって、図１、図２に示すごとき構成においては、丸太よりなる梁３の補強を行うことができると共に、梁３に立設した束柱５と前記梁９との接続部の補強をも行い得るものである。
図４、図５は第２の実施形態を示すもので、この第２の実施形態においては梁３をプレカット材により構成したものである。プレカット材は丸太の場合よりも断面形状は四角形状に近いものであり、その断面形状が丸太とは異なるものである。したがって、同一機能を奏する構成部分には同一符号を付して重複した説明は省略する。
なお、この第２の実施形態においては、前記連結補助具１３を省略して、各補強具本体９、１１におけるそれぞれの鍔部９Ｂ、１１Ｂを長いボルト、ナット等よりなる締付け具２７によって締付けているものであり、この構成によっても前述と同様の効果を奏するものである。なお、前記鍔部９Ｂ、１１Ｂの間にチャンネル状の連結補助具を介在した構成としても良いものである。
図６は第３の実施形態を示すもので、丸太よりなる梁３の端部を重ねるように接続した部分を前記補強具本体９等によって締付けて補強した構成を概念的、概略的に示したもので、前述した構成と同一機能を奏する構成部分には同一符号を付すこととして重複した説明は省略する。
以上のごとき説明より明らかなように、本発明によれば、複数の補強具本体９、１１を梁３の周面に梁３を囲続するように環状に配置し、各補強具本体９、１１に備えた鍔部９Ｂ、１１Ｂの挿通孔９Ｃ、１１Ｃに締付け具１８をセットして締付けることにより、梁３を締付けることができるものである。したがって、梁３にひび割れを生じた場合や老朽化の場合の補強を行うことができるものである。
また、梁３の周面に配置した複数の補強具本体９、１１を環状に一体的に連結してなる第１の環状補強体３１Ａと束柱５の周面に配置した複数の補強具本体２１等を環状に一体的に連結した第２の環状補強体３１Ｂとを対向した一対の梁・束柱連結部材１９を介して一体的に連結した構成においては、梁３と束柱５との接続部の補強を行うことができるものである。
【０００６】
【発明の効果】
以上のごとき説明より明らかなように、丸太、プレカット材等よりなる梁の補強を容易に行い得るものである。また、丸太よりなる梁と束柱との接続部の補強も容易に行い得るものである。
【図面の簡単な説明】
【図１】本発明の第１の実施形態に係る構成を示す側断面説明図である。
【図２】同上の正面説明図である。
【図３】補強具本体の説明図である。
【図４】第２の実施形態の図１同様の側断面説明図である。
【図５】同上の補強具本体の説明図である。
【図６】第３の実施形態の概略的な側断面説明図である。
【図７】本発明の補強具本体の斜視図である。
【図８】本発明の適用例を示す説明図である。
【符号の説明】
３      梁
５      束柱
７      補強器具
９      補強具本体
１１    補強具本体
１３    連結補助具
１８    取付け具
１９    梁・束柱連結部材
２１    連結具本体
２３    連結補助具
【図１】
2004360428.tif 000003
【図２】
2004360428.tif 000004
【図３】
2004360428.tif 000005
【図４】
2004360428.tif 000006
【図５】
2004360428.tif 000007
【図６】
2004360428.tif 000008
【図７】
2004360428.tif 000009
【図８】
2004360428.tif 000010